(57)【特許請求の範囲】
【請求項１】
露出の前に、顕微鏡の螢光像の光路が像を映し、その光度が測定され、そしてこの光度から露出時間が求められる螢光顕微鏡写真用露出制御方法において、露出の前に測定された光度（Ｉ１  ）から導き出された第１の露出時間（Ｔ１  ）によってフイルム（２７）が露出され、露出過程が中断され、少なくとも一つの他の光度（Ｉ２  ．．．Ｉｎ  ）が測定され、関数Ｆ（Ｉ１  ，Ｉ２  ，  Ｔ１  ）として算出された少なくとも一つの他の露出時間（Ｔ２  ．．．Ｔｎ  ）によってフイルム（２７）が多重露出されることを特徴とする方法。
【請求項２】
写真鏡胴を備え、この写真鏡胴の光路内にシャッターと、センサに光を導く揺動ミラーとが配置されている、請求項１の方法を実施するための装置において、センサ（２４）によって測定された光度（Ｉ１  ，Ｉ２  ．．．Ｉ  ｎ）が中央処理装置（２５）によって読み取られ、この中央処理装置が多重露出の個々の露出時間（Ｔ１  ，Ｔ２  ．．．Ｔｎ  ）を計算しかつ揺動ミラー（２３）とシャッター（２６）を制御することを特徴とする装置。
【発明の詳細な説明】
【０００１】
【産業上の利用分野】
本発明は、露出の前に、顕微鏡の螢光像の光路が像を映し、その光度が測定され、そしてこの光度から露出時間が求められる螢光顕微鏡写真用露出制御方法と、この方法を実施するための装置に関する。
【０００２】
【従来の技術】
顕微鏡撮影のための露出時間を測定するために、顕微鏡の像の光またはその一部がセンサの方へ方向を変えられる。そのために実質的に二つの方法が知られている。第１の方法の場合には、露出の前に揺動ミラーが光をセンサの方へ案内する光路内へ揺動させられる。露出時に揺動ミラーはレフレックスカメラの場合と同様に、光路から外へ揺動する。この方法の場合には、その都度最大の光量がフィルムまたはセンサに達する。他の方法の場合には、センサとフィルム面の間でビームスプリッターが使用される。この場合、所定の分割比が実現される。露出の間、光度が常に測定される。
【０００３】
螢光顕微鏡において、可視光線を放射しながらプレパラートに紫外線が当たることにより、プレパラートの退色が時々発生する。これは、露出時間の補正を必要とする、いわゆる“フェージング”またはフェージング効果である。この補正は上記第１の方法の場合には不可能である。第２の方法の場合には、この補正は露出過程の間ビームスプリッターによって行われる。しかし、このビームスプリッターは分割比に対応して、供される光量の一部だけをフィルムに到達させる。そのため、長い露出時間が必要である。更に、ビームスプリッターによって結像能力が低下する。
【０００４】
１９８８年ＰＣＴ特許出願公開第００７１４号により、顕微鏡で見る物体を撮影するための方法とその装置が知られている。ここでは両方法が択一的に使用可能である。そのために、写真光路内にビームスプリッター系が横方向に移動可能に設けられ、測定光路内において光検出器の前に回転ミラーが設けられている。ビームスプリッター系は透過／反射比が異なる分割面と、付加的な全反射面を備えている。この公知装置によって、最も短い露出時間での写真撮影と、撮影中の露出補正を選択的に行うことができる。螢光顕微鏡撮影の場合に所望される、最大光度および短い露出時間でのフェージング補正は、この装置では実施不可能である。
【０００５】
【発明が解決しようとする課題】
本発明の根底をなす課題は、プレパラートの退色発生時に、短くてしかも的確な露出を全光度で可能にする、冒頭に述べた種類の方法と、この方法を実施するための装置を提供することである。
【０００６】
【課題を解決するための手段】
この課題は、方法の発明では、露出の前に測定された光度から導き出された第１の露出時間によってフイルムが露出され、露出過程が中断され、少なくとも一つの他の光度が測定され、関数として算出された少なくとも一つの他の露出時間によってフイルムが多重露出されることによって解決され、装置の発明ではセンサによって測定された光度が中央処理装置によって読み取られ、この中央処理装置が多重露出の個々の露出時間を計算しかつ揺動ミラーとシャッターを制御することによって解決される。方法と装置の有利な構成については後で述べる。
【０００７】
上記の“フェージング”が公知の法則の影響を受けるので、光度の低下は必ずしも測定する必要はない。ほとんどの用途によって、フェージング経過を検出するためには、時間的にずらした２回の光度の測定だけで充分である。光度は次式
【０００８】
【数１】
0003556242.tif 000002
【０００９】
に従って低下する。ここで、Ｉ（ｔ）は全光度、Ｉ（ｏ）は開始光度、ｔは時間、そしてτは時定数である。式中、Ｉ（ｏ）とτは知られていない。従って、光度低下の時間経過全体は、第２の値の測定、すなわち時間間隔Ｔ１  によるＩ１  ，Ｉ２  の測定によって定められる。これにより、露出
【００１０】
【数２】
0003556242.tif 000003
【００１１】
は値Ｉ１  ，Ｉ２  ，Ｔ１  によって算出可能である。
【００１２】
最初の露出過程の前後の光度の測定により、上記のフェージング経過の場合に、効果的な露出Φ１  を求めることができる。この露出は予定露出Φｓｏｌｌよりも短い。フェージングの他の経過が同様に知られているので、第２の露出時間Ｔ２  を求めることができる。従って、式Φ１  ＋Φ２  ＝Φｓｏｌｌ・Ｔ２  が当てはまる。その際、Ｔ２  はＩ１  ，Ｉ２  ，Ｔ１  の関数である。すなわち、Ｔ２  ＝Ｆ（Ｉ１  ，Ｉ２  ，Ｔ１  ）である。測定時間自体が露出時間よりも非常に短いので、無視することができる。
【００１３】
【実施例】
図は本発明を詳しく説明するために役立つ。
【００１４】
図１に対応して露出が行われる。この露出では、
Ｉ．    第１の露出時間Ｔ１  が測定される。
【００１５】
ＩＩ．  時間Ｔ１  だけ露出される。
【００１６】
ＩＩＩ．最初の露出の後の光度Ｉ２  が測定される。
【００１７】
ＩＶ．  算出した時間Ｔ２  だけ露出が行われる。
【００１８】
これにより、最大の光量がセンサとフィルムに達し、同様にフェージング補正が可能である。ビームスプリッターが設けられていないことにより、光の損失が発生せず、そしてそれに関連する結像の質の低下が同様に除去される。
【００１９】
図２には本発明による装置の実施例が、それ自体公知の鏡胴の概略図に基づいて示してある。検査すべき物体１０から、光軸１２を有する光路１１が出発している。プリズム１３によって方向を変えた後、中間像平面１４において物体１０の中間像が形成される。この中間像平面内には例えば図示していない十字線グリッドを設けることができる。光路１１はプリズム１５，１６によって２度方向を変えた後でズーム光学系１７を通過する。このズーム光学系は例えば像を方向変換する鏡胴レンズ系によって形成可能である。光路１１内においてズーム光学系１７の後には、分割比を調節可能なビームスプリッター１８が設けられている。このビームスプリッターは光路１１を双鏡胴２０による観察のための部分光路１９と、写真光路２１に分割する。写真光路はプリズム２２によって方向を変えられ、揺動ミラー２３に当たる。この揺動ミラーは測定のために、写真光路２１の光全部をセンサ２４に案内する。このセンサは光度を測定する。中央処理装置２５によってこの光度が読み取られ、対応する露出時間を計算する。揺動ミラー２３はシャッター２６と同様に中央処理装置２５によって制御される。従って、揺動ミラー２３が外側へ揺動すると、写真光路の光全部がフィルム２７に達する。フェージング効果の時間的な経過のために、他の種類の関数を用いてもよい。後露出時間Ｔ２  の正確な決定はもはや不可能である。なぜなら、この種類の関数が個々の個所での測定によって区別できず、関数が二つ以上のパラメータを有するからである。しかしながら、その都度の種類の関数についてＩ１  ，Ｉ２  ，Ｔ１  ，Ｔ２  の関数として露出Φ２  を検査することにより、Ｔ２  を計算するために最善の関係を選択することができる。このようにして求められた第２の露出時間が例えば近似するものであっも、これは正しい露出にとって充分である。
【００２０】
本発明による露出制御方法と装置の有利な構成を挙げると、次の通りである。１．Ｉ２  ／Ｉ１  が０．２〜０．８であるとき、露出時間Ｔ２  の後露出が開始されることを特徴とする方法。
【００２１】
２．関数としてＦ（Ｉ１  ，Ｉ２  ，  Ｔ１  ，α）が使用され、このαが黒シールド指数であることを特徴とする方法。
【００２２】
３．センサ２４として選択式電子増倍器が使用されることを特徴とする装置。
【００２３】
【発明の効果】
以上説明したように、本発明の螢光顕微鏡写真用露出制御方法よび装置は、プレパラートの退色発生時に、短くてしかも的確な露出を全光度で可能にするという利点がある。
【図面の簡単な説明】
【図１】本発明による方法の光度−時間−グラフである。
【図２】本発明による装置のブロック線図である。
【符号の説明】
１０                      物体
１１                      光路
１２                      光軸
１３                      プリズム
１４                      中間像平面
１５，１６                プリズム
１７                      ズーム光学系
１８                      ビームスプリッター
１９                      部分光路
２０                      双鏡胴
２１                      写真光路
２２                      プリズム
２３                      揺動ミラー
２４                      センサ
２５                      中央処理装置
２６                      シャッター
２７                      フィルム
Ｉ１  ，Ｉ２                  光度
Ｔ１  ，Ｔ２                  露出時間
【図１】
0003556242.tif 000004
【図２】
0003556242.tif 000005